(57)【要約】      （修正有）【課題】身体の療養、小動物の治療、器物の修復などの際、三角形の台敷具（以下、「傾斜台」と呼ぶ。）によって傾斜状態を継続して安定に保つ効果を得る。【解決手段】傾斜台に積載された荷重によって傾斜面の反撥方向へ傾斜台が押出される現象や、積載物の挙動で傾斜台が不本意な方向へずれ動く傾向を、底面など必要な表面に滑り止めを施すか固定用の止め具類で阻止すると共に、傾斜台の末端を裾付き形状に延長し積載物の自重で押えて引止める。傾斜台の全体を柔軟な材料で形成した場合に外力で生じる変形に対し、傾斜台の内部に堅固な硬質芯を設けて安定化させる。積載物が自重で傾斜面を滑り降りる現象を、傾斜面の下方に台座となる突出部又は窪み部を設けて阻止する。枕が傾斜面を降下しないよう、積載面の上端に枕載せ用の切欠き部を設ける。積載物が台上で転がらないよう、積載面に横転防止用の峰又は窪みなど凹凸を設ける。【選択図】図５
0003143382.tif 000002
【実用新案登録請求の範囲】
【請求項１】
身体の療養、小動物の治療、破損器物の修復などの目的で柔軟な材料又は堅固な材料により形成した敷具類（以下、「台敷具」と呼ぶ。）において、傾斜した積載面をもち断面が三角形で全体をくさび形に仕上げた台敷具（以下、「傾斜台」と呼ぶ。）の滑り止めが必要な箇所に摩擦強化用の凹凸形状を施すか若しくは面ファスナー、ホックなどの止め具を設けるか又は傾斜台の位置ずれを防ぐ機能をもったテープ若しくは紐類が取付けできる構造に構成した支え台。
【請求項２】
請求項１の記載事項において、傾斜台の厚さが薄い方の末端部を更に延長して裾付きの形状に形成した支え台。
【請求項３】
請求項１の記載事項において、傾斜台中心部の小領域、傾斜台中心部から基底面までの領域又は傾斜台内の全領域を堅固な硬質若しくは半硬質の材料で構成した支え台。
【請求項４】
請求項１の記載事項において、傾斜した積載面に積載物の滑降を阻止する機能をもった突出部又は窪み部を設けた支え台。
【請求項５】
請求項１の記載事項において、傾斜した積載面の上端側を稜線方向に沿って水平面に近い切欠き面をもつように形成した支え台。
【請求項６】
請求項１の記載事項において、積載面を積載物の運動・横転を防ぐ機能をもった凹凸形状に形成した支え台。
【考案の詳細な説明】
【技術分野】
【０００１】  この考案は、棉花、ヤシの実繊維、発泡ウレタンなどの柔軟な材料による敷き布団若しくはパッド類又は木材、合成樹脂成型品などの堅固な材料を併用して構成する置き台若しくは懸架台などの敷具類（以下、「台敷具」と呼ぶ。）において、特定な機能をもたせた場合の形状、構造及び材質に関する出願である。
【背景技術】
【０００２】  病気治療の場合に、状況によっては胃から食道への物質逆流を防ぐなどの目的で上半身又は全身を傾斜した状態で就床する必要が生じる。  療養のほかにも、小動物の治療又は破損器物の修復などのため一定の傾斜状態を長時間継続して安定に保つことが極めて有効な場合も多い。  このような場合、積載物を傾斜したままで安定して保持ができる置き台又は懸架台が必要でも、寝床傾斜ができるベッドは大型重装備なので個室内の設置が困難な場合や、短期間の一時的な使用状況のもとでは経済的に採用困難な場合などで実質的には採用できないことがある。  一方、この目的に適合する小型軽量の置き台や懸架台類は現状では市場に見当たらず、療養や器具類の修復処置などを傾斜状態で適切に施す願望が現実には期待できない場合が生じている。
【考案の開示】
【考案が解決しようとする課題】
【０００３】  一定の傾斜状態を安定に保持するために、断面が三角形で全体がくさび形状の傾斜した台敷具（以下、「傾斜台」と呼ぶ。）として小さなくさび形の置き台類や懸架台類が必要な場合でも、現状では市場に見当らず入手困難な状況にある。  また一般家庭などで電動ベッドのような重量物の装置を採用することが不可能な場合や大きな寝具機械を設置する場所が確保できない場合もあり、小型軽量の簡単な構造で容易に入手できるような傾斜台の潜在的な需要が生じている。【０００４】  断面が三角形で全体がくさび形になっている傾斜台を使用する場合、その傾斜台に隣接する台敷具又は他の傾斜台との相互間に滑り止めを施しておかないと、積載面に積載があったときに荷重の分力が傾斜した積載面を押出す方向へ傾斜台を動かす作用が生じる。
また、傾斜台上の積載物が挙動を行うと傾斜台の軟質な緩衝材が伸縮することにより部分的な波打ち現象を起すことがあり、その波動が傾斜台の基底面へ波及し傾斜台が不本意な方向へ歩くような挙動が生じることによって傾斜台がずれ動く傾向も生じる。【０００５】  支え台を構成している緩衝材の弾力が柔らかい場合、支え台が緩衝材の大きな塊なので外力によって緩衝材が大きな変形を起こす傾向になり、身体又は積載物の荷重で支え台の全体が不本意な方向へ倒れかかる形状に歪んで積載箇所の空間位置が移動したり積載面が傾いたりする現象が生じる。【０００６】  傾斜台の積載面に存在する積載物は、自重で斜面上を滑降する作用が生じる。
電動品で積載面の上半部分が仰角動作をすると下半部分も自動的に仰角して積載面全体がＺ字形に傾斜する品種の場合には、山形状になった下側の積載面が積載物の自重を支えるので滑降は起らない。  しかし、通常の単純な傾斜面の場合、積載面の角度が約３０度以上になると、身体又は積載物が積載面上に存在している部分の自重のため斜面を滑降しようとする応力が働き、身動きしたときに滑り降りる現象が発生する。
支え台の場合、傾斜角がおよそ９０度に近く大きいと支え台の水平部分が台座の効果を生じるので積載物の滑降を支えるが、傾斜角が直角未満で特に６０度前後の場合に積載物の自重を支える機能が何も無ければ、積載物が滑降しようとする作用が強く現れる。【０００７】  必要な傾斜角度は身体の状態や感覚の変化などに応じて変動するので、一つの支え台で傾斜角度が緩すぎたり支え台を二つ重ねると急峻になり過ぎたりする場合、状況に応じて最適な傾斜角度に微調整することが簡単にはできない。【０００８】  支え台の積載面へ置いた枕は積載面を滑降しようとする作用が生じるので、睡眠中などに枕の位置が不本意に下降して位置ずれする傾向になり、健康上からも望ましくない。【０００９】  積載物が複雑な凹凸状の場合、積載物が台床の上で不本意な方向へ転がりやすく、特に傾斜した積載面上では不安定な状態になる。【００１０】  支え台の使用開始後に、身体の症状又は積載物の状況変化などによって時間経過と共に緩衝材の弾力が不適当になったとき、望ましい柔らかさの支え台と交換することが安易にはできない。
【課題を解決するための手段】
【００１１】  使用中に積載物の位置ずれが生じないようにするため、滑り止めが必要な面に摩擦強化を施すか又は自動密着性の面ファスナー、ホック類などの止め具で引止める方法によって傾斜台の移動が生じないように図る。  この場合、周辺の敷き布団、パッドなど台敷具のふとん皮類に止め具類を設けてもふとん皮類だけが引張られる現象になるので、ふとん皮類と内部とを縫合わせておくか周辺の台敷具と傾斜台とを固定するなどの一体化処置又はふとん皮類を除いた状態で適用できる滑り止めを施す。【００１２】  傾斜台の不本意な移動を防ぐ別方法として、傾斜台の厚さが薄い側の末端を水平方向へ更に延長して裾状に形成しておき、隣接する傾斜台又は他の支え台の端部から裾の末端を折り返して挟む方法で引止めることにより、傾斜台に荷重が加わったとき積載面を押出す方向へ傾斜台が移動しようとする応力を積載物の自重で押さえて止めるように図る。【００１３】  支え台全体が柔らかい緩衝材で一体に形成されている場合、かなりな厚さをもつ三角形の支え台の塊全体が外力による歪みで不本意な方向へ変形する現象及び斜面上の積載部が傾く傾向を避けるため、傾斜台の主要部分を堅固な材料で形成した変形しにくい硬質芯で形成しておき、硬質芯の周囲を適度な柔らかさと厚さの緩衝材で包むか被せるように構成することによって、支え台の使用時に不本意な歪みが生じにくくなるように図る。【００１４】  身体又は積載物が自重により支え台の積載面を経て水平方向まで滑降しようとする作用を阻止するため、積載面の最下端に台座となる突出部若しくは窪み部又はそれらの両方を設けて滑降を受止める効果をもたせる。【００１５】  支え台類の傾斜角度を変更するため、予め傾斜角度が異なる支え台を何種類か用意しておき、それらの支え台を組合わせ積み重ねて使用することによって望みの傾斜に最も近い角度で使用する。【００１６】  支え台の積載面で鋭角になっている上端に置いた枕が積載面を滑降る作用を防ぐため、積載面の上端部を水平で適度な広さの切欠き形状に形成しておく。【００１７】  積載面上に置いた積載物が台床の上で転がりやすく斜面上で不安定な状態を防ぐため、積載面を積載物の外形に相似する形状に形成しておくか又は適度な突出状の支え若しくは溝や窪みなど凹み状の支え部を幾つか設けておく。【００１８】  積載面の柔らかさを簡単に変更できるようにするため、緩衝材の部分だけを分割し交換ができるように構成しておき、必要に応じた柔らかさの緩衝材の部分だけを交換する。
【考案の効果】
【００１９】  傾斜台の摩擦強化が必要な面に滑り止めを施す。  また、設置位置がずれないよう周辺の台敷具、傾斜台又は他の支え台と一体に縛って止めるなどの方法で固定しておくことによって、傾斜角度ほか所定の状態で身体又は積載物を安定して保持するように図る。【００２０】  滑り止め用の摩擦強化として突起と受穴を点在させた構造にする場合、もし受穴の底面が平坦な場合は各突起の先端が区々な方向へ傾いて圧接する傾向が生じ、その荷重の合力によって支え台全体が不本意な方向へ向う応力として働く状態が生じて、荷重が変動したときに個々の突起先端が区々の方向への復元しようとする応力が合力される結果、支え台が不本意な方向へずれようとする作用が生じる傾向になるが、受穴の底を曲面にしておくことによって受穴の最も深い中心点へ突起先端を誘導する動作の傾向になるので、個々の突起が同一方向へ揃う傾向が生じてそれらの復元力が合力されても支え台全体を不本意な方向へ移動しようとする作用は小さくなる効果が期待できる。【００２１】  支え台の中心部を堅固な材質の硬質芯で構成すると、支え台の内部に不変形の硬質芯が存在することによって支え台全体の変形歪みを小さくすることができる。  また、硬質芯を支え台の中心部だけではなく下端の基底部まで設けておくと、硬質芯の下方側に緩衝材があった場合に緩衝材の弾力による変形のために支え台の全体が不本意な方向へ傾いたり積載面の空間位置が変位する現象が減少すると共に、支え台の設置基台が支え台の硬質芯を直接支えることにより支え台全体の変形が更に少なくなる傾向に向かうので外力による変動を安定化することができる。【００２２】  積載面の下方側に台座となる突出部又は窪み部を設けることにより、身体又は積載物が自重によって積載面下端を経て水平方向まで滑降しようとする作用を台座の部分で受止める効果が生じる。【００２３】  傾斜角度が異なる支え台を何種類か用意しておくことによって、望みの傾斜角度を変更する場合でも、適度な傾斜角度の支え台と入替えるか又は他の傾斜角度の支え台と組合わせを変えることによって、ほぼ望みの傾斜角度に調整できる。【００２４】  積載面の上端部を水平で適度な広さの切欠き形状に形成しておくことにより、支え台の積載面の上端に置いた枕が積載面を滑降る作用を防ぐ。【００２５】  支え台の積載面上に幾つかの適度な長さと高さの突出状又は適度な深さと広さの凹み状の支えを設けることによって、積載物が積載面の上で容易に転がらない状態にする。【００２６】  緩衝材の硬さが異なっている支え台の全体又は交換可能型にした緩衝材の部分を何種類か用意しておくことにより、希望する硬さを変えたい場合は支え台全体又は緩衝材の部分を入替えることによって、簡単に望みの柔らかさにすることができる。
【考案を実施するための最良の形態】
【００２７】  身体用の傾斜台の場合、横幅を通常のふとん幅と同等程度にし、長さを全身用傾斜台の場合には一般値の身長よりもやや短めに、半身用の場合には８０ｃｍをめやすに標準的な座高又は個体の座高とほぼ同程度に設定し、頭部が高く腰の方が低い向きに断面が三角形で全体をくさび形に形成して支え台とする。【００２８】  傾斜台に位置ずれ防止として滑り止めの凹凸形状を施す場合は、傾斜台が接触する周辺の台敷具又は支え台との間の接触面に、適度な大きさの点状の突起と底面が椀状の受穴とを多数設けるか又は適度な長さ及び深さの凸形状の支えと凹形状の台座とが散在する構造にする。【００２９】  位置ずれ防止のため滑り止めの凹凸形状を施す場合、傾斜台の一方の面の凸部が他方の面の凹部の箇所に適合する位置になるように配置することにより、積重ねる場合の支え台の厚さが不用意にかさ張らないように図る。  また、凸部及び凹部の位置を等間隔に配置することにより、複数の支え台をずらせて使用する場合も各支え台の凸部と凹部とが嵌合する位置になるように構成しておく。【００３０】  凸部と凹部とを同一面上に設ける場合、凹部を設ける占有積のため凸部の個数が少なくなるので、少数になった凸部によって身体を刺激したり積載物が傾いたりする作用が生じないように配列する。  配置は、凸部の個数が極端に少なくならないように均等に配置して積載物を支え得るように図るか、支え台の積載側の積載面は多数の凹部だけにし積載をしない他方の面を凸部だけで構成するように配置にする。【００３１】  厚さが薄い方の傾斜台の末端部を更に延長して裾付きの形状に形成しておき、裾の末端を隣接する傾斜台・他の支え台の端部から折り返して挟むことによって、支え台の積載面に荷重が加わったときに積載面を押出す方向へ支え台が移動しようとする応力を、積載物の自重で裾の端部を押えることにより引止める効果を図る。【００３２】  支え台内の小部分を木枠、畳材、合成樹脂などによる堅固な硬質芯で構成する場合は、硬質芯を支え台の中心部だけではなく支え台の台底まで達するように構成することによって、荷重に対して支え台の変形を少なくすると共に支え台の底に接触している基盤の床面又は台敷具などが支え台の硬質芯を直接支える結果になり安定化するように図る。【００３３】  積載面の下方側に台座となる突出部又は窪み部を設けることにより、身体又は積載物が積載面上の部分の自重によって積載面から滑降しようとする応力を、台座の部分で支え止めるように図る。【００３４】  傾斜を望みの角度にしたい場合、身体用の傾斜台の場合は傾斜角度が最大６０度、通常の環境では３０度をめやすとした支え台を基準とし、斜度調整のため基準の二分の一又は四分の一程度の傾斜角度の支え台を補助用として幾つか準備しておき、組み合わせて使用することによって調整する。  傾斜角度２０度未満では身体を休めたときに安楽な感覚が得られず医療効果も乏しいが傾斜角度４０度以上では急峻すぎる場合もあるので、組み合わせたときに最小３０度程度の傾斜角度が得られるようにしておく。【００３５】  枕が積載面を滑降する作用を防ぐため、積載面の上端の鋭角な稜線部分を水平で適度な広さの切欠き帯の領域を形成しておき、枕を安定して置けるように図る。【００３６】  積載面上に置いた積載物が台床の上で転がりやすく不安定な状態になるのを防ぐため、積載面の適所な位置に適度な長さと高さの堤防形など突出形の支えを幾つか設けるか又は適度な広さと深さの窪みなど凹形の台座を設ける。【００３７】  支え台の硬さを変更したい場合、支え台全体を交換する場合に比べて緩衝材の部分だけを交換すれば置き場所、重さ、経済性などの面で有利になるので、支え台の緩衝材の部分を交換できる方式に構成しておく。【００３８】  支え台の緩衝材の材質は、厚さが薄く緩衝材の破断などの傷損が起き易い傾向を避けるため、堅固で劣化しにくい材質例えばブチルゴムなどの材料により緩衝材の全体を形成するか又は裾状の部分だけを形成して緩衝材本体と接着、熔着などの方法で構成する。
【実施例】
【００３９】  以下、添付した図面に従って概念と共に実施例を説明する。
台敷具１の下側に支え台２を入れた場合の図１（Ａ）に対し、図１（Ｂ）には台敷具１及び支え台２を発泡ウレタンなどの材料によって一体に製作した場合３の概念を示す。
なお、３の積載面の下方側に台座となる突出部３ａ又は窪み部３ｂを設けておくと、身体又は積載物が自重により積載面から水平方向まで滑降しようとする作用の応力を支え止める効果が生じる。【００４０】  敷布団４の上に支え台７、８及び９を三段に積み重ねて希望する傾斜角度にした場合の使用例を図２に示す。  この場合、支え台７に予め切欠き帯を図４の１４と同様に設けておくことにより、使用中に枕６が積載面を滑り降りる現象を防ぐ効果をもたせる。【００４１】  小さめの支え台１２及び補助台１３を腰に当てた場合の応用例を図３に示す。【００４２】  二段重ねにした支え台１５・１６において、支え台の表面に滑り止め用の突起１７及び椀状の受穴１８を散在して設けた実施例を図４に示す。支え台１５には、上端に枕載せ用の切欠き帯１４を設けておく。  支え台１６は硬質又は半硬質の変形しにくい材料で形成し末端を更に延長して裾付き形状に形成しておき、裾の水平部分１６ａを隣接する台敷具、他の支え台などの端部で折り返して挟み固定する。  折り返した裾を積載荷重が押さえることにより、積載面の外側方向へ支え台１９が押出される作用を裾の部分で引止める効果をもたせる。【００４３】  二段重ねにした下側の支え台２０の内部を硬質の芯で構成した場合の実施例で、上側の支え台１９をずらせて設置し段差部分に枕２１を置いた状況を図５に示す。  支え台２０において、中心部から台底に至る領域を畳材、木材、合成樹脂類など堅固な材質の硬質芯２０ａで形成し、芯部分の周囲の底面から上方側を柔らかな材質の緩衝材でくるむように覆って支え台２０を構成する。  支え台１９及び２０には位置ずれを防ぐ手段として滑り止め用の凸形状の支え２２及び凹形状の台座２３を散在させて設け、支え台２０の台底面の滑り止めの凹凸部は型出しにするか又は凹凸状の部材の接着、熔着などの方法によって形成する。
【図面の簡単な説明】
【００４４】
【図１】敷具類つまりこの明細書でいう台敷具の下へ当考案の支え台を設置した場合の概念（Ａ）と、その場合の台敷具と支え台を一体構造に製作した場合の概念（Ｂ）とを並べて示した断面図。
【図２】当考案の支え台を何種類か三段に重ねて使用した場合の使用例を横方向から見た概略の見取図。
【図３】当考案の小型の支え台を腰に当てて使用する場合の使用例を横方向から見た概略の見取図。
【図４】当考案の支え台を二種類重ねて使用する場合で、下側の支え台は裾付の実施例において裾部を折り返して挟むときの裾の方向の概念を示す横方向から見た断面図。
【図５】当考案の支え台を二段重ねてずらせて使用する場合で、支え台の中心部から台底までを堅固な中空の硬質芯で構成したときの実施例を横方向から見た断面図。
【符号の説明】
【００４５】  １    敷布団などの台敷具
２    当考案による支え台
３    台敷具と支え台とを一体構造に製作した支え台
３ａ  身体又は積載物の斜面滑降を支え止める突出部
３ｂ  身体又は積載物の斜面滑降を支え止める窪み部
４    敷布団などの台敷具
５    休養者
６    枕
７    積重ねた三段目の薄形の支え台
８    積重ねた二段目の薄形の支え台
９    積重ねた一段目の厚形の支え台
１０    枕
１１    休養者
１２    腰に当てて使う場合の支え台
１３    足を乗せて使う場合の補助台
１４    枕載せ用の切欠き帯
１５    積重ねた二段目の薄形の支え台
１６    積重ねた一段目の裾付の支え台
１６ａ  裾の部分
１７    滑り止め用の突起
１８    滑り止め用の受穴
１９    ずらせて積重ねた薄形の支え台
２０    積重ねた下段側の厚形の支え台
２０ａ  中空の硬質芯
２１    枕
２２    滑り止め用の凸状の突起
２３    滑り止め用の凹状の受穴
【図１】
0003143382.tif 000003
【図２】
0003143382.tif 000004
【図３】
0003143382.tif 000005
【図４】
0003143382.tif 000006
【図５】
0003143382.tif 000007